(57)【要約】【課題】マグネットスイッチを覆うカバー全体の密封性を確保した状態で、マグネットスイッチの強制操作用の器具をカバーの内側に容易に挿入することができ、これによって断路器の操作不応動時の迅速な対応を可能としたマグネットスイッチ用防護装置を提供する。【解決手段】本発明は、ベース部に取り付けたマグネットスイッチを密封状に覆って防護するために箱状に形成されたカバーを備えているマグネットスイッチ用防護装置であって、電気絶縁性を有するカバーの前面に、マグネットスイッチに対向した孔部を設け、この孔部に、スイッチ操作用の器具を挿入できるキャップ部材を取り付けている。このキャップ部材は、スイッチ操作用の器具の押し込みによって内側に撓曲される、複数の放射状の切り込みを有している。【選択図】図６
2008192564.tif 000002
【特許請求の範囲】
【請求項１】
ベース部に取り付けたマグネットスイッチを密封状に覆って防護するために箱状に形成されたカバーを備えているマグネットスイッチ用防護装置であって、電気絶縁性を有するカバーの前面に、マグネットスイッチに対向した孔部を設け、この孔部に、スイッチ操作用の器具を挿入できるキャップ部材を取り付けたことを特徴とするマグネットスイッチ用防護装置。
【請求項２】
キャップ部材は、スイッチ操作用の器具の押し込みによって内側に撓曲される、複数の放射状の切り込みを有している請求項１に記載のマグネットスイッチ用防護装置。
【請求項３】
カバーの上面に、スイッチ操作用の器具を装着する差込孔を設けている請求項１または２に記載のマグネットスイッチ用防護装置。
【請求項４】
カバーの開口側をマグネットスイッチのベース部に密着させるために、カバーの開口側の縁部全周に、弾性部材を取り付けている請求項１乃至３のいずれかに記載のマグネットスイッチ用防護装置。
【請求項５】
カバーに形成されているリード線の貫通部を閉塞するために、カバーにクッションシート部材を取り付けている請求項１乃至４のいずれかに記載のマグネットスイッチ用防護装置。
【発明の詳細な説明】
【技術分野】
【０００１】
本発明は、断路器の開閉操作をする際の原動力であるモータのスイッチとして使用されるマグネットスイッチを、粉塵やギヤ用油等から防護するためのアクリル製のカバーを備えたマグネットスイッチ用防護装置に関するものである。
【背景技術】
【０００２】
従来においては、図７（ａ）・図８（ａ）に示すように、遮断器の前後に配されている断路器の開閉操作をする際の原動力であるモータのスイッチとして使用されるマグネットスイッチＭＳを、粉塵やギヤ用油等から防護するために、スイッチ面を前方側へ向けてベース部Ｂに取り付けているマグネットスイッチＭＳを、前側からアクリル製等のカバー１で覆っている。
【０００３】
このとき、図７（ａ）・図８（ａ）に示すように、カバー１の後ろ側に位置する開口側の四隅に、アクリル製の脚部Ｌが突出状に設けられおり、この脚部Ｌによってカバー１がマグネットスイッチＭＳのベース部Ｂに支持されている。
【０００４】
しかし、このような脚部Ｌの存在により、カバー１の開口側とベース部Ｂの間に隙間が存在することとなり、この隙間から小石や粉塵等がカバー１の内部に入り込んで、ベース部Ｂに取り付けているマグネットスイッチＭＳのスイッチ操作が不能となった事例がある。
【０００５】
そこで、図７（ｂ）・図８（ｂ）に示すように、カバー１の開口側に設けた脚部Ｌをカットすることにより、カバー１の開口側とベース部Ｂの間に隙間ができないようにしている。
【０００６】
しかしながら、従来のように脚部Ｌをカットすることで、カバー１の開口側とベース部Ｂの間に隙間ができないようにする対策を行っていても、マグネットスイッチＭＳの不動作の原因が、外部から小石や粉塵等が入り込んでしまうことだけではないことから、マグネットスイッチＭＳのスイッチ操作が不能となってしまう事態の発生が、未だに後を絶たないのが現状である。
【０００７】
このため、従来の対処方法として、作業員が現地に出向し、アクリル製のカバー１を取り付けている２箇所のナットＮを外し、ベース部Ｂからカバー１を取り外してから、図9に示すように、例えば、ボールペンのような尖った操作器具Ｐをスイッチ部分に押し当てて、マグネットスイッチＭＳを数回強制動作させることで、スイッチ部分の固着状態を解消させ、その後、エアースプレーで小石や粉塵等を飛散させる方法が採られていた。このような処置は、遮断器自体の点検時にも同様に行われている。
【０００８】
この他、従来における防護装置として、例えば、特許文献１に開示されているように、開閉接触子を接触させるＯＮボタンと該開閉接触子を開離させるＯＦＦボタンとが左右に並んで配置されている回路遮断器において、両ボタンのいずれか一方の前方に選択的に互いに独立して移動可能な二つのカバーと、二つのカバーのそれぞれを案内する互いに平行で近接させて設けられた二つのレールを有する案内部材と、両カバーの移動方向のレールの中間部に設けられた両カバーの移動を阻止する南京錠装着用の孔とを備え、両カバーを選択的に移動させてからロックすることによって１個の南京錠でＯＮ操作，ＯＦＦ操作又はその両操作を防止できるとともに、南京錠が装着されない場合であっても、少なくとも一方のボタンの前にカバーが位置することによって両ボタンを同時に操作することを防止できることで回路遮断器の寿命を長くできるものとした回路遮断器の操作ボタンロック装置なる技術が存在する。
【特許文献１】特開２００４−５５４１２号公報
【発明の開示】
【発明が解決しようとする課題】
【０００９】
しかしながら、従来のように、例えば、ボールペンのような尖った操作器具Ｐをスイッチ部分に押し当てて、マグネットスイッチＭＳを数回強制動作させるためには、アクリル製のカバー１を取り付けている２箇所のナットＮを外して、ベース部Ｂからカバー１を取り外さなければならず、このカバー１の取り外し作業が非常に面倒であった。
【００１０】
また、ベース部Ｂからカバー１を取り外し、操作器具Ｐをスイッチ部分に押し当てて、マグネットスイッチＭＳを数回強制動作させてスイッチ部分の固着状態を解消させた後、エアースプレーで小石や粉塵等を飛散させ、再度、ベース部Ｂにカバー１を取り付けるのに最低でも約１０分間程度の時間を費やすることから、この作業時間の間は、遮断器の前後に配している断路器に電圧が掛からないようにするため、通電操作を一旦中断しなければならなかった。
【００１１】
さらに、作業中において、マグネットスイッチＭＳ内の結露防止ヒーターの電源に触れて、作業員が感電する事態も発生していた。
【００１２】
一方、特許文献１に開示されている操作ボタンロック装置は、両カバーの移動方向のレールの中間部に設けられた両カバーの移動を阻止する南京錠装着用の孔が設けられているため、外部から当該孔を介しての小石や粉塵等の進入が避けられない状態となっていた。
【００１３】
しかも、二つのカバーが両ボタンのいずれか一方の前方に選択的に互いに独立して移動する際に、感電する虞れもあった。
【００１４】
そこで、本発明は如上のような従来存した諸事情に鑑み創出されたもので、マグネットスイッチを覆うカバー全体の密封性を確保した状態で、マグネットスイッチの強制操作用の器具をカバーの内側に容易に挿入することができ、これによって断路器の操作不応動時の迅速な対応を可能としたマグネットスイッチ用防護装置を提供することを目的とする。
【課題を解決するための手段】
【００１５】
本発明は、ベース部に取り付けたマグネットスイッチを密封状に覆って防護するために箱状に形成されたカバーを備えているマグネットスイッチ用防護装置であって、電気絶縁性を有するカバーの前面に、マグネットスイッチに対向した孔部を設け、この孔部に、スイッチ操作用の器具を挿入できるキャップ部材を取り付けたことで、上述した課題を解決した。
【００１６】
また、キャップ部材は、スイッチ操作用の器具の押し込みによって内側に撓曲される、複数の放射状の切り込みを有していることで、同じく上述した課題を解決した。
【００１７】
さらに、カバーの上面に、スイッチ操作用の器具を装着する差込孔を設けていることで、同じく上述した課題を解決した。
【００１８】
また、カバーの開口側をマグネットスイッチのベース部に密着させるために、カバーの開口側の縁部全周に、弾性部材を取り付けていることで、同じく上述した課題を解決した。
【００１９】
加えて、カバーに形成されているリード線の貫通部を閉塞するために、カバーにクッションシート部材を取り付けていることで、同じく上述した課題を解決した。
【発明の効果】
【００２０】
本発明は、ベース部に取り付けたマグネットスイッチを密封状に覆って防護するために箱状に形成されたカバーを備えているマグネットスイッチ用防護装置であって、電気絶縁性を有するカバーの前面に、マグネットスイッチに対向した孔部を設け、この孔部に、スイッチ操作用の器具を挿入できるキャップ部材を取り付けたことから、マグネットスイッチを覆うカバー全体の密封性を維持している状態で、断路器の操作不応動時の迅速な対応が可能となる。
【００２１】
具体的には、カバーの孔に取り付けているキャップ部材にスイッチ操作用の器具を挿入し、その先端をスイッチ部分に押し当てて、マグネットスイッチを数回強制動作させることにより、スイッチ部分の固着状態を解消することができる。
【００２２】
また、スイッチ部分の固着状態を解消させた後は、キャップ部材からスイッチ操作用の器具を引き抜くことで、マグネットスイッチを覆うカバー全体の密封性が維持された状態となる。
【００２３】
このように、本発明によれば、カバーを取り付けているナットを外し、ベース部からカバーを取り外す必要が無いため、スイッチ部分の固着状態を解消する作業を誰もが簡単に行うことができる。
【００２４】
また、スイッチ部分の固着状態を解消する作業を極めて短時間の内に終了することができる。
【００２５】
さらに、スイッチ部分の固着状態を解消する作業を極めて短時間の内に終了できることから、遮断器の前後に配している断路器に電圧が掛からないようにする必要が無く、通電操作を中断しなくて済むこととなった。
【００２６】
また、ベース部からカバーを取り外す必要が無いため、作業員がマグネットスイッチ内の結露防止ヒーターの電源に触れて、感電する事態も回避することができる。
【００２７】
加えて、キャップ部材は、スイッチ操作用の器具の押し込みによって内側に撓曲される、複数の放射状の切り込みを有していることから、スイッチ操作用の器具を簡単に挿入できる。
【００２８】
また、キャップ部材からスイッチ操作用の器具を引き抜いたときは、複数の放射状の切り込みが元の状態に復帰して、マグネットスイッチを覆うカバー全体の密封性を確実に維持することができる。
【００２９】
さらに、カバーの上面に、スイッチ操作用の器具を装着する差込孔を設けていることから、カバーにスイッチ操作用の器具を装着して、器具の紛失を未然に防止することができる。
【００３０】
また、断路器の操作不応動時に、カバーからスイッチ操作用の器具を取り出し、スイッチ部分の固着状態を解消する作業を迅速に行うことができる。
【００３１】
加えて、カバーの開口側の縁部全周に弾性部材を取り付けていることから、カバーの開口側をマグネットスイッチのベース部に隙間無く密着させて、カバー全体の密封性を確実に維持することができる。
【００３２】
また、カバーにクッションシート部材を取り付けていることから、カバーに形成されているリード線の貫通部をクッションシート部材により閉塞し、カバー全体の密封性を維持することができる。
【００３３】
さらに、このクッションシート部材により、現地においてカバーを形成するアクリル板を加工する必要も無い。
【発明を実施するための最良の形態】
【００３４】
以下に、本発明を実施するための最良の形態を、図面を参照して説明する。
【００３５】
本発明は、ベース部Ｂに取り付けたマグネットスイッチＭＳを密封状に覆って防護するために箱状に形成されたカバー１を備えているマグネットスイッチ用防護装置である。
【００３６】
このマグネットスイッチ用防護装置は、図１・図５・図６に示すように、電気絶縁性を有するカバー１の前面に、マグネットスイッチＭＳに対向した孔部４ａ，４ｂを設け、この孔部４ａ，４ｂに、スイッチ操作用の器具６を挿入できるキャップ部材５を取り付けたことを特徴としている。
【００３７】
具体的には、本発明に係るマグネットスイッチ用防護装置は、箱状に形成された、例えば、アクリル製のカバー１を備えている。このカバー１は、図７（ａ）・図８（ａ）に示す脚部Ｌをカットすることで、ベース部Ｂにカバー１を当接させたときに、カバー１の開口側に隙間ができないようにしている。
【００３８】
また、ベース部Ｂにカバー１を押し付けて当接させたときに、カバー１の開口側がマグネットスイッチＭＳのベース部Ｂに密着するようにするため、図１・図５に示すように、カバー１の開口側の縁部全周に、弾性部材２を取り付けている。
【００３９】
さらに、マグネットスイッチ用防護装置は、図１・図５・図６に示すように、カバー１をマグネットスイッチＭＳのベース部Ｂにカバー１をワンタッチで固定できるカバー固定用のピン部材３を備えている。
【００４０】
このピン部材３は、先端部に固定頭部を回動可能に取り付けている。カバー１をベース部Ｂに固定するときは、図１・図５に示すように、カバー１をベース部Ｂに押し付けて、カバー１の前面に設けた孔部に、カバー１の内側から固定頭部８を進入させる。そして、ピン部材３の固定頭部がカバー１の外側に突出したならば、図１・図６に示すように、カバー１の外側において、固定頭部をピン部材３の長手方向に直交するように回動させて、カバー１をベース部Ｂに密着状態に固定するのである。
【００４１】
カバー１の前面には、図１・図５に示すように、ベース部Ｂに配された左右一対のマグネットスイッチＭＳに対向するようにして、左右一対の孔部４ａ，４ｂが穿設されている。
【００４２】
この両孔部４ａ，４ｂには、スイッチ操作用の器具６を挿入できるキャップ部材５を取り付けている。キャップ部材５は、所定の硬さを有するゴムやスポンジにより形成されており、図４（ａ）・（ｂ）に示すように、スイッチ操作用の器具６の押し込みによって内側に撓曲される、複数の放射状の切り込み５ａを有している。
【００４３】
また、左右一対の孔部４ａ，４ｂの上側には、図１・図５に示すように、誤認錯覚防止のための開シールおよび閉シールのそれぞれを貼設している。
【００４４】
カバー１の上面には、図１・図６に示すように、前記スイッチ操作用の器具６を差し込んで装着させるために、差込孔１ａを設けている。この差込孔１ａの大きさは、カバー１内に小石や粉塵等が進入しない程度の、例えば、器具６の幅員と略同じ程度の大きさのものである。また、この差込孔１ａに、切り込みを有するゴム製やスポンジ製の閉塞部材を嵌め込んでも良い。
【００４５】
弾性部材２は、図１・図５に示すように、カバー１の開口側の縁部全周に渡って取り付けられるもので、図２に示すように、断面形状が略Ｈ型のゴム材もしくはスポンジ材等によって形成されている。
【００４６】
そして、この弾性部材２のＨ型のいずれか一方の溝部２ａに、カバー１の開口側の縁部が嵌め入れられる。また、カバー固定用のピン部材３によるカバー１自体の押し込み固定によって、弾性部材２の溝部２ｂが圧縮されると共に、溝部２ｂがカバー１の内側に若干撓み込まれる状態となって、ベース部Ｂにカバー１の開口側を隙間無く密着させている。
【００４７】
また、図１に示すように、マグネットスイッチＭＳのベース部Ｂに配されているリード線Ｒを貫通させるための貫通部が、カバー１の開口側における上面部に形成されている。この貫通部を閉塞するために、ゴム製やスポンジ製等の断面略Ｈ型の板片によるクッションシート部材７が取り付けられている。このクッションシート部材７は、Ｈ型のいずれか一方の溝部２ａがカバー１の貫通部の縁に嵌め込まれ、他方の溝部２ｂは、リード線Ｒに当たってカバー１の内側に押し込まれるものである。
【００４８】
次に、以上のように構成された本発明の最良の形態についての組立・使用・動作の一例を説明する。
【００４９】
先ず、図１に示す状態から、カバー１の差込孔１ａからスイッチ操作用の器具６を取り外す。
【００５０】
そして、図６に示すように、カバー１の孔４に取り付けているキャップ部材５にスイッチ操作用の器具６を挿入する。このとき、図３（ａ）・（ｂ）、図４（ａ）・（ｂ）に示すように、キャップ部材５が、切り込み５ａによってカバー１の内側に撓曲され、器具６をマグネットスイッチＭＳの位置まで進入させる。その状態で、図６に示すように、器具６の先端をスイッチ部分に押し当てて、マグネットスイッチＭＳを数回強制動作させることにより、スイッチ部分の固着状態を解消することができる。
【００５１】
また、スイッチ部分の固着状態を解消させた後は、キャップ部材５からスイッチ操作用の器具６を引き抜く。このとき、図１に示すように、キャップ部材５の複数の放射状の切り込み５ａが元の状態に復帰して、マグネットスイッチＭＳを覆うカバー１全体の密封性を確実に維持することができる。
【００５２】
即ち、本発明によれば、カバー１を取り付けているナットＮを外し、ベース部Ｂからカバー１を取り外す必要が無いため、スイッチ部分の固着状態を解消する作業を誰もが簡単・迅速に行うことができるのである。
【００５３】
尚、これらの処置を行う場合には、安全のために、制御電源、モータ電源等をロックしてから行うのが原則である。
【産業上の利用可能性】
【００５４】
本発明に係るマグネットスイッチ用防護装置は、断路器の開閉操作をする際の原動力であるモータのスイッチとして使用されるマグネットスイッチを粉塵、ギヤ用油等から防護する他に、種々の原動力となるスイッチを保護するための防護装置として、幅広く利用することができる。
【図面の簡単な説明】
【００５５】
【図１】カバー固定用のピン部材を介してベース部にカバーが取り付けられているマグネットスイッチ用防護装置の全体構成を示す斜視図である。
【図２】弾性部材の構成を示す斜視図である。
【図３】カバー内にスイッチ操作用の器具を挿入する状態を示すもので、（ａ）はキャップ部材の近傍に器具を配置した状態の側面図、（ｂ）は器具がキャップ部材を貫通している状態の側面図である。
【図４】カバー内にスイッチ操作用の器具を挿入する状態を示すもので、（ａ）はキャップ部材の近傍に器具を配置した状態の斜視図、（ｂ）は器具がキャップ部材を貫通している状態の斜視図である。
【図５】カバー固定用のピン部材を介してベース部にカバーが取り付けられているマグネットスイッチ用防護装置の全体構成を示す分解斜視図である。
【図６】カバーのキャップ部材にスイッチ操作用の器具を挿入し、器具の先端をスイッチ部分に押し当てて、マグネットスイッチを強制動作させている状態を示す斜視図である。
【図７】従来のマグネットスイッチ用防護装置の構成を示すもので、（ａ）は開口側に脚部を備えているカバーの構成を示す側面図、（ｂ）は脚部を除去したカバーの構成を示す側面図である。
【図８】従来のマグネットスイッチ用防護装置の構成を示すもので、（ａ）は開口側に脚部を備えているカバーの構成を示す斜視図、（ｂ）は脚部を除去したカバーの構成を示す斜視図である。
【図９】マグネットスイッチのスイッチ操作が不能となったときの従来の対処方法を示すもので、作業員がベース部からカバーを取り外してから、ボールペンのような尖った操作器具をスイッチ部分に押し当てて、マグネットスイッチを強制動作させている状態を示す側面図である。
【符号の説明】
【００５６】
ＭＳ…マグネットスイッチ
Ｂ…ベース部
Ｒ…リード線
Ｐ…操作器具
Ｎ…ナット
１…カバー
１ａ…差込孔
２…弾性部材
２ａ，２ｂ…溝部
３…カバー固定用のピン部材
４ａ，４ｂ……孔部
５…キャップ部材
５ａ…切り込み
６…器具
７…クッションシート部材
【図１】
2008192564.tif 000003
【図２】
2008192564.tif 000004
【図３】
2008192564.tif 000005
【図４】
2008192564.tif 000006
【図５】
2008192564.tif 000007
【図６】
2008192564.tif 000008
【図７】
2008192564.tif 000009
【図８】
2008192564.tif 000010
【図９】
2008192564.tif 000011